(57)【要約】【課題】  尿汚水をシャワー状に散水して空気に触れつつ尿汚水浄化微生物と接触させることにより、尿汚水の有機物等を分解除去して、効率よく浄化させることができる尿汚水浄化装置およびその浄化方法を提供する。  【解決手段】  尿汚水が流入する流入口２およびこの尿汚水の処理水を流出させる流出口３が設けられ、上部に開口１ａを有した尿汚水処理槽１と、この尿汚水処理槽１の底部側に配置された散気管９ｃに空気を送気する送気手段９ａと、前記開口１ａ側に複数の散水口が向けられて前記尿汚水処理槽１の上方に配設された散水部７に前記尿汚水処理槽１内の尿汚水を給水する給水ポンプ５を備えた散水手段４と、尿汚水浄化微生物が付着された多孔材を載置する網体および散水孔が複数形成された散水板を離間させて筒体内に保持した尿汚水浄化手段１０とを備え、この尿汚水浄化手段１０が前記開口１ａの上方において前記各散水口の直下にそれぞれ配置されてなる。【選択図】図１
2010142708.tif 000002
【特許請求の範囲】
【請求項１】
畜産動物またはその飼育場から排出される尿を含む尿汚水が流入する流入口およびこの尿汚水の処理水を流出させる流出口が設けられ、上部に開口を有した尿汚水処理槽と、
この尿汚水処理槽の底部側に配置された散気管に空気を送気する送気手段と、
前記開口側に複数の散水口が向けられて前記尿汚水処理槽の上方に配設された散水部に前記尿汚水処理槽内の尿汚水を給水する給水ポンプを備えた散水手段と、
尿汚水浄化微生物が付着された多孔材を載置する網体および散水孔が複数形成された散水板を離間させて筒体内に保持した尿汚水浄化手段とを備え、
この尿汚水浄化手段が前記開口の上方において前記各散水口の直下にそれぞれ配置されてなることを特徴とする尿汚水浄化装置。
【請求項２】
前記筒体が円形管や略方形管により形成されてなることを特徴とする請求項１に記載の尿汚水浄化装置。
【請求項３】
前記筒体内に前記網体と散水板とが１対保持され、この筒体が上下方向に複数個連結されて前記尿汚水浄化手段が構成されてなることを特徴とする請求項１または２に記載の尿汚水浄化装置。
【請求項４】
前記尿汚水浄化手段が、前記散水口の近傍に吊下げられてなることを特徴とする請求項１または３の何れかに記載の尿汚水浄化装置。
【請求項５】
前記多孔材が、ガラス材を焼成して発泡させたガラス発泡材であることを特徴とする請求項１に記載の尿汚水浄化装置。
【請求項６】
請求項１ないし５の何れかに記載の尿汚水浄化装置を用いる尿汚水浄化方法であって、
（１）畜産動物またはその飼育場から排出される尿を含む尿汚水が、流入口を介して尿汚水処理槽に流入し所用量が貯留されると、散水手段の給水ポンプが前記尿汚水処理槽の尿汚水を散水部に給水し、この散水部の散水口から尿汚水が散水されると、この散水口の直下に配置された尿汚水浄化手段に落下し、この汚水浄化手段の筒体内に保持された散水板と尿汚水浄化微生物が付着された多孔材を通過して前記尿汚水処理槽に戻された後、前記給水ポンプにより再び前記散水部側に給水する循環処理、
（２）この循環処理時に、送気手段から前記尿汚水処理槽の底部側に配置された散気管に空気が送気されて尿汚水を曝気する曝気処理、
（３）前記循環処理時に、前記尿汚水が前記尿汚水浄化手段を通過するとき、前記散水板の散水孔によりシャワー状に分散されて空気に触れつつ多孔材の尿汚水浄化微生物に接し、尿汚水に含まれる有機物等が微生物により分解されて浄化する浄化処理を含み、
この処理水が前記尿汚水処理槽の流出口から浄化水として排出されることを特徴とする尿汚水浄化方法。
【発明の詳細な説明】
【技術分野】
【０００１】
本発明は畜産動物またはその飼育場から排出される尿を含む尿汚水を浄化する尿汚水浄化装置およびその浄化方法に関する。
【背景技術】
【０００２】
牛、馬、豚、鶏、羊等の畜産動物を飼育する飼育場からは、畜産動物の糞尿混合物、飼育場等の洗浄水およびこれらの混合水が尿汚水として排水される。
この尿汚水は、汚れの元である有機物を多く含んでいるので、浄化施設で生物化学的酸素要求量（ＢＯＤ）を１，２００ｍｇ／Ｌ程度にまで希釈して浄化し、河川に放流するのが一般的であった。
しかしながら、このような希釈法によると、浄化施設が必然的に大型化するので、畜産農家に設置場所の確保と高額の負担を強いるという難点があった。
【０００３】
そこで、菌群等を小型の反応装置で反応させて汚水等を処理することを目的とした菌群等の反応方法が提案されている（例えば、特許文献１）。
この反応方法に用いられる反応装置は、液体（汚水）の移動が可能な溢流管を設けたボート形の容器と、菌群等を担持した多孔質体とを組み合わせて多段にし、容器間に空間部分を生じさせた状態で、密閉された反応槽内に収納した構成となっている。
【０００４】
なお、多孔質体は、セラミック、スポンジ、不織布等からなり、糸状菌、酵母、細菌といったが菌群等が担持されている。
また、空間部分は、多孔質体の間に形成された気体の移動できる流通孔を介してつながっており、所望成分の気体で満たしておいて、液体を多孔質体に供給し反応させるようになっている。
【０００５】
これにより、汚水を上段の容器に供給すると、重力により自然に上段の多孔質体から下段の多孔質体へと移動するので、圧力をかける必要なく反応し、菌群等の反応装置を小型化することができる。
また、所望の成分の気体は、多孔質体内を通って移動することがなく、多孔質体と接触するのがその表面のみとなるので、多孔質体に担持されている菌群等が剥離することなく反応するというものである。
【特許文献１】特開平４−２６７９９７公報
【発明の開示】
【発明が解決しようとする課題】
【０００６】
ところで、上記特許文献１の菌群等の反応方法は、その反応装置の容器間に空間部分を生じさせているが、各容器内に菌群等を担持した多孔質体を収納している。
よって、汚水が容器内を移動すると、多孔質体が水没状態となり、汚水中での反応となることから、酸素の接触が殆どなく、有機物等の分解が活性化されず、尿汚水の汚れ浄化や脱臭には一定の限界があった。
【０００７】
本発明は、上記課題に鑑みてなされたもので、尿汚水をシャワー状に散水して空気に触れつつ尿汚水浄化微生物と接触させることにより、尿汚水の有機物等を分解除去して、効率よく浄化させることができる尿汚水浄化装置およびその浄化方法を提供することを目的としている。
【課題を解決するための手段】
【０００８】
上記目的を達成するため、本発明に係る請求項１の尿汚水浄化装置は、畜産動物またはその飼育場から排出される尿を含む尿汚水が流入する流入口およびこの尿汚水の処理水を流出させる流出口が設けられ、上部に開口を有した尿汚水処理槽と、この尿汚水処理槽の底部側に配置された散気管に空気を送気する送気手段と、前記開口側に複数の散水口が向けられて前記尿汚水処理槽の上方に配設された散水部に前記尿汚水処理槽内の尿汚水を給水する給水ポンプを備えた散水手段と、尿汚水浄化微生物が付着された多孔材を載置する網体および散水孔が複数形成された散水板を離間させて筒体内に保持した尿汚水浄化手段とを備え、この尿汚水浄化手段が前記開口の上方において前記各散水口の直下にそれぞれ配置されてなることを特徴としている。
【０００９】
また、請求項２の尿汚水浄化装置は、前記筒体が円形管や略方形管により形成されてなることを特徴としている。
【００１０】
また、請求項３の尿汚水浄化装置は、前記筒体内に前記網体と散水板とが１対保持され、この筒体が上下方向に複数個連結されて前記尿汚水浄化手段が構成されてなることを特徴としている。
【００１１】
また、請求項４の尿汚水浄化装置は、前記尿汚水浄化手段が、前記散水口の近傍に吊下げられてなることを特徴としている。
【００１２】
また、請求項５の尿汚水浄化装置は、前記多孔材が、ガラス材を焼成して発泡させたガラス発泡材であることを特徴としている。
【００１３】
また、請求項６の尿汚水浄化方法は、請求項１ないし５の何れかに記載の尿汚水浄化装置を用いる尿汚水浄化方法であって、（１）畜産動物またはその飼育場から排出される尿を含む尿汚水が、流入口を介して尿汚水処理槽に流入し所用量が貯留されると、散水手段の給水ポンプが前記尿汚水処理槽の尿汚水を散水部に給水し、この散水部の散水口から尿汚水が散水されると、この散水口の直下に配置された尿汚水浄化手段に落下し、この汚水浄化手段の筒体内に保持された散水板と尿汚水浄化微生物が付着された多孔材を通過して前記尿汚水処理槽に戻された後、前記給水ポンプにより再び前記散水部側に給水する循環処理、（２）この循環処理時に、送気手段から前記尿汚水処理槽の底部側に配置された散気管に空気が送気されて尿汚水を曝気する曝気処理、（３）前記循環処理時に、前記尿汚水が前記尿汚水浄化手段を通過するとき、前記散水板の散水孔によりシャワー状に分散されて空気に触れつつ多孔材の尿汚水浄化微生物に接し、尿汚水に含まれる有機物等が微生物により分解されて浄化する浄化処理を含み、この処理水が前記尿汚水処理槽の流出口から浄化水として排出されることを特徴としている。
【発明の効果】
【００１４】
以上説明したように、本発明による請求項１の尿汚水浄化装置は、尿汚水が尿汚水処理槽に所用量貯留されると、散水手段の給水ポンプにより散水部に給水し、この散水部の散水口の直下に配置された尿汚水浄化手段に落下し、この汚水浄化手段に保持された多孔材を通過して前記尿汚水処理槽に戻された後、前記給水ポンプにより再び前記散水部側に給水する循環処理を行うので、装置全体の構成が簡単であり、尿汚水浄化装置を小型に設計製作できる。そして、前記尿汚水の循環処理時に、送気手段から前記尿汚水処理槽の底部側に配置された散気管に空気が送気されて尿汚水の曝気を促進するので、効率よく曝気処理を行うことができる。
さらに、前記循環処理時に、前記尿汚水が前記尿汚水浄化手段を通過するとき、前記散水板の散水孔によりシャワー状に分散されて多孔材の尿汚水浄化微生物に対する酸素の供給量が増加して活性化されるので、尿汚水に含まれる有機物等が効果的に分解される。よって、従来のように、尿汚水中に尿汚水浄化微生物を水没させて有機物等を分解する場合に比して浄化作用が格段に向上する。これにより、希釈を行う必要がなくなるので、尿汚水浄化装置が大型化することなく、設置コストを大幅に低減できる、といった効果がある。
【００１５】
また、請求項２の尿汚水浄化装置は、前記筒体が円形管や略方形管により形成するので、入手し易い材料を用いて前記尿汚水浄化手段を製作できる。
【００１６】
また、請求項３の尿汚水浄化装置は、前記筒体内に前記網体と散水板とが１対保持され、この筒体が上下方向に複数個連結されて前記尿汚水浄化手段が構成されており、前記筒体間を尿汚水が通過するとき、散水板の散水孔によりシャワー状に分散され、かつ空間の空気に触れつつ多孔材の尿汚水浄化微生物に接するので、尿汚水に含まれる有機物等を微生物により効率よく分解することができる。
【００１７】
また、請求項４の尿汚水浄化装置は、前記尿汚水浄化手段が、前記散水口の近傍に吊下げられているので、特別な設備を備える必要なく、前記尿汚水浄化手段を散水口の直下に配置させることができる。
【００１８】
また、請求項５の尿汚水浄化装置は、前記多孔材が、ガラス材を焼成して発泡させたガラス発泡材であることから、安価なガラス材を使用したり、廃ガラスを用いることにより、製作が容易で廉価な多孔材を提供することができる。
【００１９】
また、請求項６の尿汚水浄化方法は、装置全体の構成が簡単であり、尿汚水浄化装置を小型に設計製作できる。
そして、前記尿汚水循環処理時に尿汚水を曝気するので、効率よく曝気処理を行うことができる。
さらに、前記循環処理時に前記尿汚水が前記尿汚水浄化手段を通過するとき、シャワー状に分散されて多孔材の尿汚水浄化微生物に対する酸素の供給量が増加して活性化されるので、尿汚水に含まれる有機物等が効果的に分解される。よって、従来のように、尿汚水中に尿汚水浄化微生物を水没させて有機物等を分解する場合に比して浄化作用が格段に向上する、といった効果がある。
【発明を実施するための最良の形態】
【００２０】
以下、本発明に係る尿汚水浄化装置およびその浄化方法の実施形態について、図面を参照しながら詳述する。
図１は本発明の尿汚水浄化装置の概要構成を示す断面図、図２は尿汚水浄化部の実施例１に係る側面図、図３は同尿汚水浄化部の縦断面図である。
【００２１】
本実施形態の尿汚水浄化装置は、主要部として尿汚水処理槽１、散水装置４、尿汚水浄化部１０および操作盤等を備えており、尿汚水を処理してから曝気槽１８や沈殿槽２０を通し、浄化水として河川に放流させる構成となっている。
【００２２】
ここで、尿汚水とは、牛、馬、豚、鶏、羊等の畜産動物を飼育する飼育場から排水される汚水であり、畜産動物の糞尿混合物、飼育場等の洗浄水並びにこれらの混合水をも含む。
【００２３】
尿汚水処理槽１は、図１に示すように、円筒状で上部に開口１ａを有し、下部の側周面に給水管４ａが接続され、この給水管４ａの反対側の側周面には、送気管９ｂが接続されている。また、上部の側周面にバルブ２ａを備えた送水管２が接続され、この送水管２の反対側の側周面には、排水管３が接続されている。
前記送気管９ｂの一端には、排気孔を多数設けた送気ヘッド９ｃが接続される一方、他端はエアコンプレッサ９ａに接続されている。
【００２４】
このエアコンプレッサ９ａは、後述の給水ポンプ５とともに、不図示の制御部により運転が制御され、起動時に圧縮空気を送気ヘッド９ｃに送気する。
送気ヘッド９ｃは、尿汚水処理槽１の底部側に配置されており、エアコンプレッサ９ａからの圧縮空気を排気孔から排気して、尿汚水処理槽１に貯留された尿汚水を曝気する。これにより、尿汚水処理槽１内で最初の尿汚水浄化がなされる。
【００２５】
送水管２は、畜産動物の飼育場から排出される尿を含む尿汚水を尿汚水処理槽１に導入する。
排水管３は、他端が曝気槽１８の側周面に接続されており、尿汚水処理槽１からの処理水を曝気槽１８に送水する。この曝気槽１８は、下部の側周面に前記送気管９ｂが接続されている。
【００２６】
この送気管９ｂの一端は、曝気槽１８の底部側に配置された前記送気ヘッド９ｄに接続され、他端は前記エアコンプレッサ９ａに接続されている。これにより、エアコンプレッサ９ａからの空気を排気孔から排気して、曝気槽１８に貯留された処理水を曝気する。この曝気により、尿汚水処理槽１からの処理水をさらに浄化することができる。
【００２７】
また、曝気槽１８は、上部の側周面に排水管１９が接続されている。この排水管１９は、他端が沈殿槽２０の側周面に接続されており、曝気槽１８からの処理水を沈殿槽２０に送水する。
この沈殿槽２０は、排水管１９の反対側の側周面に排水管２１が接続されている。この排水管２１は、例えば、河川に延出しており、沈殿槽２０で不純物が沈殿除去された処理水を浄化水として、河川に放流するようになっている。
【００２８】
散水装置４は、散水管７、支柱８および給水ポンプ５等を備えて構成されている。散水管７は、強度に優れたステンレス又はビニール製のパイプであって、その側周面に複数の散水口７ａを形成してある（図４参照）。
支柱８は、尿汚水処理槽１の開口１ａの周縁に立設され、尿汚水処理槽１の上方において各散水管７を支持している。この散水管７は、後述の尿汚水浄化部１０に合わせた本数が備えられており、各基端を配水部６に接続して開口１全体に拡がるように配管されている。
【００２９】
給水ポンプ５は、吸入側が尿汚水処理槽１側の給水管４ａに接続され、吐出側が給水管４ｂを介して前記配水部６に接続されている。なお、給水管４ｂには、流量調整用のバルブ４ｃが設けられている。
この給水ポンプ５は、制御部により運転が制御され、起動時に尿汚水処理槽１の貯留尿汚水を汲み出して、配水部６に送水し各散水管７に給水する。これにより、尿汚水が各散水管７の散水口７ａから、各尿汚水浄化部１０に向けて落下する。
【００３０】
尿汚水浄化部１０は、図２〜図４に示すように、円筒体１１、網体１５、散水板１６および多孔材（ガラス発泡材）１７等を備えて構成されている。
円筒体１１は、対向する側周面の縦方向に略円形の挿入口１１ａが各３個形成されており、この挿入口１１ａを介して、多孔材１７の収納や交換を可能としている。
【００３１】
また、この円筒体１１は、全体に多数の小孔１１ｄが開けられている暗渠排水管などが好適に使用される。長さは、この使用例では、約３０cmである。これにより、尿汚水浄化部１０の通気性が高められて、円筒体１１内を尿汚水が通過するときに大量の酸素が取り入れられ、後述の尿汚水浄化微生物の活性化を促進することができる。
【００３２】
また、この円筒体１１は、上端と下端とに連結孔１１ｂがそれぞれ４個形成されている。この連結孔１１ｂに紐部材１２が挿通されて、円筒体１１が連結される。本例では、図１に示すように、３個の円筒体１１を直列に連結するようになっている。
そして、連結孔１１ｂのうち、上段の連結孔１１ｂに紐部材１３が挿通されて、図１、図４に示す如く前記散水管７に吊下げられる。この際は、散水管７の各散水口７ａの位置に吊下げることにより、尿汚水浄化部１０を散水口７ａの直下に配置させ、散水口７ａからの散水を上段の尿汚水浄化部１０側に落下可能とする。
【００３３】
従って、複数個の尿汚水浄化部１０が、尿汚水処理槽１の開口１ａの上方において、貯留尿汚水との間に間隙を有して配置される。
これにより、各尿汚水浄化部１０は、円筒体１１の内部、円筒体１１相互、貯留尿汚水との間に空気層がそれぞれ形成される。
なお、この尿汚水浄化部１０は、散水管７に吊下げる以外に、尿汚水処理槽１の開口１ａの上部に網状の架台を設け、この架台に載置して各散水口の直下に配置する構成としてもよい。
【００３４】
また、前記円筒体１１は、内周面の上下方向における４箇所に保持部１４を突設してあり、網体１５および散水板１６を保持している。
網体１５は、図５に示す如く円形金網であって、上方から１番目、３番目、４番目の保持部１４に保持される。そして、各網体１５にガラス発泡材１７が載置されるようになっている。
尚、この保持部１４に代えて、各網体１５に引っ掛けを設けて、この引っ掛けを挿入口１１aに引っ掛けるようにしても良い。
【００３５】
ガラス発泡材１７は、ガラス材（例えば、廃ガラス）を９００℃〜１０００℃で焼成して発泡させたガラス発泡材であり、表面に無数の窪みを生じている。そして、この窪みに尿汚水浄化微生物を膜状に付着させている。
【００３６】
この尿汚水浄化微生物は、尿汚水中の有機物を酸化分解する好気性の硝化菌やバクテリア等が用いられる。
この微生物は、空気中に曝されることによって酸素との接触量が増え、有機物等の分解が活性化され、尿汚水の汚れ浄化や脱臭が促進される特徴を有している。
【００３７】
散水板１６は、図６に示すように、円形の平板であり、多数の散水孔１６ａが形成されている。この散水板１６は、上方から２番目の保持部１４に保持され、前記散水口７ａから第１段目の金網１５上のガラス発泡材１７と接触しながら通過して落下する散水を均等に分散し、シャワー状にして下段のガラス発泡材１７に滴下させる。
【００３８】
これにより、ガラス発泡材１７の尿汚水浄化微生物に対する酸素の供給量が増加して活性化されるので、尿汚水に含まれる有機物等を効果的に分解可能となる。
以上のように構成された尿汚水浄化部１０は、小型コンパクトであるから、飼育場の規模および尿汚水処理槽１の容量に合わせて設置数を加減することが可能であり、尿汚水浄化装置全体を小型に設計製作することができる。
【００３９】
次に、上記尿汚水浄化装置による尿汚水浄化方法について、図を参照しつつ説明する。
但し、図１に示す尿汚水処理槽１に、飼育場からの尿汚水が送給されて、開口１ａ近傍のレベルまで貯留されているものとする。
【００４０】
オペレータが、図示しない操作盤の操作スイッチをオン操作すると、操作盤に設けられた制御部がエアコンプレッサ９ａを起動させる。
これに伴い、尿汚水処理槽１内の送気ヘッド９ｃに圧縮空気が送られて、尿汚水の曝気がなされる。また、圧縮空気は曝気槽１８の送気ヘッド９ｄにも送られて、処理水の曝気がなされる。
【００４１】
続いて、制御部が給水ポンプ５を起動させると、尿汚水処理槽１の尿汚水を散水管７に給水し、この散水管７の散水口７ａから尿汚水が散水される。
すると、尿汚水浄化部１０に落下し散水板１６とガラス発泡材１７を通過して尿汚水処理槽１に戻される。
また、尿汚水処理槽１の尿汚水は、給水ポンプ５により再び散水管７に給水されて、図４に示す如く散水口７ａから尿汚水浄化部１０に散水されることにより、尿汚水が循環する。これにより、尿汚水が繰り返し浄化処理されるので、浄化が促進される。併せて、送気ヘッド９ｄによる曝気も維持されて浄化が一層促進される。
【００４２】
また、尿汚水が図２および図３に示す尿汚水浄化部１０を通過するとき、散水板１６の散水孔１６ａによりシャワー状に分散される。また、円筒体１１の多数の小孔１１ｄから大量の酸素が取り入れられる。
これにより、ガラス発泡材１７の尿汚水浄化微生物に対する酸素の供給量が増加して活性化されるので、尿汚水に含まれる有機物等が効果的に分解され、浄化される。
【００４３】
この処理水は、尿汚水処理槽１０から曝気槽１８に送られて曝気された後、沈殿槽２０に送られて不純物が沈殿除去される。そして、この沈殿槽２０の浄化水が、河川に放流されるので、河川環境が保護される。
【００４４】
次に、前記尿汚水浄化装置による尿汚水の浄化結果を表１に基づいて説明する。
（表１）尿汚水浄化装置による尿汚水の浄化結果
2010142708.tif 000003
尚、発泡材通過後とは、尿汚水処理層１の出口の各濃度をいう。最終処理水とは、沈殿槽２０の出口の濃度をいう。
【００４５】
原尿汚水とガラス発泡材との接触時間は、１時間当たり６０Ｌ（６０Ｌ／１ｈ）である。
排水基準は、水質汚濁防止法第三条第一項、排水基準を定める省令第一条別表第二の規定である。ＢＯＤは生物化学的酸素要求量、ＣＯＤは化学的酸素要求量である。
【００４６】
表１に示すように、この尿汚水浄化装置による最終処理水を排水基準と比較すると、ＢＯＤは５５で基準の１６０以下、ＣＯＤは８１で基準の１６０以下、全窒素は４２で基準の１２０以下、全リンは１４で基準の１６以下となり、全ての項目が排水基準を満たすことが明らかとなった。
【００４７】
図７は、尿汚水浄化部の実施例２に係る斜視図である。
この尿汚水浄化部２２は、前記円筒体１１を方形筒体２３に形成したもので、基本的構成は前記実施例１の尿汚水浄化部１０と略同一である。
即ち、方形筒体２３は、前記円筒体１１と同じく全体に多数の小孔又は隙間或いは通気空間を形成してあり、通気性を高めている。また、上端に連結孔２３ａが４個形成されており、この連結孔２３ａに前記紐部材１２が挿通されて、３個の方形筒体２３が連結される。
そして、連結孔２３ａのうち、最上段となる方形筒体２３の連結孔２３ａに紐部材１３が挿通されて、前記散水管７に吊下げられる。
【００４８】
また、この方形筒体２３は、前記円筒体１１と同じく内周面の４箇所に不図示の保持部を突設してあり、網体と散水板とを保持している。
この網体および散水板は、方形筒体２３の内径に合わせて略方形に形成してあり、円筒体１１と同様に、上方から２番目の保持部に散水板が保持され、上方から１番目、３番目、４番目の保持部に網体が保持される。そして、各網体に前記ガラス発泡材１７が載置される。
【００４９】
これにより、前記円筒体１１を備えた尿汚水浄化部１０と同じく、散水口７ａから落下した尿汚水が、酸素の供給量の増加により活性化された尿汚水浄化微生物に接し、尿汚水に含まれる有機物等が効果的に分解され、浄化される。
【００５０】
図８は、尿汚水浄化部の実施例３に係る斜視図である。
この尿汚水浄化部２４は、前記実施例１の円筒体１１を短くして円筒枠体２５を形成し、１対の網体および散水板と、ガラス発泡材１７を保持したものである。この円筒枠体２５は、前記網体１５および散水板１６を１組収納可能な長さにしてある。
【００５１】
各円筒枠体２５は、上端に連結孔２５ａが４個形成されており、この連結孔２５ａに紐部材２６が挿通されて、４個の円筒枠体２５が連結される。
そして、連結孔２５ａのうち、最上段となる円筒枠体２５の連結孔２５ａに紐部材１３が挿通されて、前記散水管７に吊下げられる。
また、この円筒枠体２５は、図示省略しているが、内周面の２箇所に保持部を突設してあり、前記網体１５および散水板１６を保持している。
【００５２】
これにより、円筒枠体２５相互の間、各円筒枠体２５内における散水板１６とガラス発泡材１７との間に空気層が生じる。
よって、前記実施例１および２と同様、散水口７ａから落下した尿汚水が、酸素の供給量の増加により活性化された尿汚水浄化微生物に接し、尿汚水に含まれる有機物等が効果的に分解され、浄化される。
【００５３】
図９は、尿汚水浄化部の実施例４に係る斜視図である。
この尿汚水浄化部２７は、前記実施例２の方形筒体２２を短くして方形枠体２８を形成し、前記実施例３の円筒枠体２５と同じく１対の網体および散水板と、ガラス発泡材１７を保持したものである。
【００５４】
即ち、方形枠体２８は、網体および散水板を１組収納可能な長さにしてある。各方形枠体２８は、上端に連結孔２８ａが４個形成されており、この連結孔２８ａに紐部材２６が挿通されて、４個の方形枠体２７が連結される。
そして、連結孔２８ａのうち、最上段となる方形枠体２７の連結孔２８ａに紐部材１３が挿通されて、前記散水管７に吊下げられる。
これにより、前記実施例３の円筒枠体２５を備えた尿汚水浄化部２４等と同様の作用効果を有する。
【００５５】
図１０は、尿汚水浄化部の実施例５に係る斜視図である。
この尿汚水浄化部２９は、前記実施例４の方形枠体２８を逆台形状の略方形にして略方形枠体３０を形成し、前記実施例３の円筒枠体２５や実施例４の方形枠体２８と同じく１対の網体および散水板と、ガラス発泡材１７とを保持したものである。
【００５６】
この略方形枠体３０も、上端に連結孔３０ａが４個形成されており、この連結孔３０ａに紐部材２６が挿通されて、５個の略方形枠体３０が連結される。
そして、連結孔３０ａのうち、最上段となる略方形枠体３０の連結孔３０ａに紐部材１３が挿通されて、前記散水管７に吊下げられる。
これにより、前記実施例３の円筒枠体２５や実施例４の方形枠体２８を備えた尿汚水浄化部２４，２７等と同様の作用効果を有する。
【００５７】
なお、上記尿汚水浄化装置は、尿汚水処理槽１にて尿汚水を処理してから曝気槽１８や沈殿槽２０を通し、浄化水として河川に放流させるようにしたが、既設の曝気槽に前記散水装置４や尿汚水浄化部１０等を配設し、この曝気槽を尿汚水処理槽に兼用して尿汚水を浄化する構成としてもよい。
また、前記沈殿槽２０に尿汚水浄化部１０を多数個配設し、曝気槽１８からの処理水をさらに浄化したうえ、不純物を沈殿除去する構成としてもよい。
また、本実施の形態で示した尿汚水浄化装置は、本発明に係る装置の一態様に過ぎず、本発明の要旨を逸脱しない範囲内で適宜設計変更できることは勿論である。
【図面の簡単な説明】
【００５８】
【図１】本発明の一実施形態である尿汚水浄化装置を一部断面で示す害要綱製図である
【図２】実施例１に係る尿汚水浄化部を示す側面図である。
【図３】同尿汚水浄化部の縦断面図である。
【図４】同尿汚水浄化部の吊下げ配置を示す斜視図である。
【図５】網体を示す斜視図である。
【図６】散水板を示す斜視図である。
【図７】実施例２に係る尿汚水浄化部を示す斜視図である。
【図８】実施例３に係る尿汚水浄化部を示す斜視図である。
【図９】実施例４に係る尿汚水浄化部を示す斜視図である。
【図１０】実施例５に係る尿汚水浄化部を示す斜視図である。
【符号の説明】
【００５９】
１                  尿汚水処理槽
１ａ                開口
２                  流入口
３                  流出口
４                  散水手段
５                  給水ポンプ
７                  散水部
９                  送気管
９ｃ                散気管
１０                尿汚水浄化手段
【図１】
2010142708.tif 000004
【図２】
2010142708.tif 000005
【図３】
2010142708.tif 000006
【図４】
2010142708.tif 000007
【図５】
2010142708.tif 000008
【図６】
2010142708.tif 000009
【図７】
2010142708.tif 000010
【図８】
2010142708.tif 000011
【図９】
2010142708.tif 000012
【図１０】
2010142708.tif 000013